(57)【要約】【課題】近距離無線通信を行うとともに、ＦＭラジオ放送波を受信する通信機器において、近距離無線通信の通信周波数の逓倍波によるＦＭラジオ放送波の受信妨害を低減することができる通信機器を提供する。【解決手段】通信機器１００は、通信相手の通信機器との間で、規定の通信周波数を用いて、近距離無線通信を行うＮＦＣ回路１０６、電波の受信域を前記通信周波数の逓倍周波数を含む帯域に調整可能なＦＭ受信回路１０１、ＦＭ受信回路１０１が前記逓倍周波数を含む帯域を受信する場合、当該帯域の受信レベルを検出するレベル検出回路１０３、受信レベルが閾値より小さい場合、ＮＦＣ回路１０６における送信電力を下げるように、ＮＦＣ回路１０６を制御するＮＦＣ制御回路１０７を備える。【選択図】図２
2015162696.tif 000002
【特許請求の範囲】
【請求項１】
通信機器であって、
通信相手の通信機器との間で、規定の通信周波数を用いて、近距離無線通信を行う近距離無線通信部と、
電波の受信域を前記通信周波数の逓倍周波数を含む帯域に調整可能なＦＭ受信部と、
前記ＦＭ受信部が前記逓倍周波数を含む帯域を受信する場合、当該帯域の受信レベルを検出する検出部と、
前記受信レベルが所定の閾値より小さい場合、前記近距離無線通信部における送信電力を下げるように、前記近距離無線通信部を制御する制御部と
を備えることを特徴とする通信機器。
【請求項２】
前記制御部は、前記受信レベルが前記所定の閾値に等しく又は前記所定の閾値より大きくなるまで、前記送信電力を段階的に下げるように制御する
ことを特徴とする請求項１に記載の通信機器。
【請求項３】
前記制御部は、さらに、前記送信電力と電力閾値とを比較し、前記送信電力が前記電力閾値より大きいか又は前記電力閾値と等しい範囲内において、前記送信電力を下げるように制御する
ことを特徴とする請求項２に記載の通信機器。
【請求項４】
前記近距離無線通信部は、
前記通信周波数の搬送波を生成する生成回路と、
前記通信相手の通信機器に対して送信すべきデータを用いて、前記搬送波を変調する変調回路と、
変調された前記搬送波を通信波として放射するアンテナ回路とを備え、
前記近距離無線通信部は、前記生成回路に対する供給電圧を下げることにより、前記送信電力を下げる
ことを特徴とする請求項３に記載の通信機器。
【請求項５】
前記近距離無線通信部は、前記通信周波数を中心とする狭帯域内の周波数を含む前記通信波を放射し、
前記制御部は、前記狭帯域の中心周波数をずらすよう、前記近距離無線通信部を制御することにより、前記送信電力を下げる
ことを特徴とする請求項３に記載の通信機器。
【請求項６】
前記近距離無線通信部は、
前記通信周波数の搬送波を生成する生成回路と、
前記通信相手の通信機器に対して送信すべきデータを用いて、前記搬送波を変調する変調回路と、
変調された前記搬送波を通信波として放射するアンテナ回路とを備え、
前記近距離無線通信部は、当該アンテナ回路の静電容量を変化させることにより、前記狭帯域の中心周波数をずらす
ことを特徴とする請求項５に記載の通信機器。
【請求項７】
前記制御部は、前記受信レベルが所定の閾値より小さい場合、前記近距離無線通信が可能な範囲内で前記近距離無線通信部における送信電力を下げるように、前記近距離無線通信部を制御する
ことを特徴とする請求項１に記載の通信機器。
【請求項８】
通信相手の通信端末との間で、規定の通信周波数を用いて、近距離無線通信を行う近距離無線通信部と、電波の受信域を前記通信周波数の逓倍周波数を含む帯域に調整可能なＦＭ受信部とを備える通信機器を制御する制御方法であって、
前記ＦＭ受信部が前記逓倍周波数を含む帯域を受信する場合、当該帯域の受信レベルを検出する検出ステップと、
前記受信レベルが所定の閾値より小さい場合、前記近距離無線通信部における送信電力を下げるように、前記近距離無線通信部を制御する制御ステップと
を含むことを特徴とする制御方法。
【発明の詳細な説明】
【技術分野】
【０００１】
本発明は、近距離無線通信を行うとともにＦＭラジオ放送波を受信する通信機器を制御する技術に関する。
【背景技術】
【０００２】
電子マネーや乗車券等の機能を有するＩＣカード、住民基本台帳カード、物流管理に用いられるＩＣタグなどにおいて、近距離無線通信（Ｎｅａｒ Ｆｉｅｌｄ Ｃｏｍｍｕｎｉｃａｔｉｏｎ、ＮＦＣ）が用いられている。
ＮＦＣは、約１０ｃｍ以内の間隔をおいた通信機器間において適用される高周波数無線通信の方法の一つである。ＮＦＣでは、１３．５６ＭＨｚの周波数の通信波を用いる（特許文献１）。
【０００３】
また、ＦＭラジオ放送においては、７６ＭＨｚから１０８ＭＨｚまでの周波数帯域が用いられる。
【先行技術文献】
【特許文献】
【０００４】
【特許文献１】特表２０１３−５１５４１２号公報
【発明の概要】
【発明が解決しようとする課題】
【０００５】
ＮＦＣにおいて用いられる通信周波数の逓倍周波数は、ＦＭラジオ放送の受信周波数に当たる。例えば、ＮＦＣの通信周波数（１３．５６ＭＨｚ）の６倍である８１．４ＭＨｚ及びＮＦＣの通信周波数の７倍である９４．９ＭＨｚは、ＦＭラジオ放送の周波数帯域に含まれる。このため、近距離無線通信を行うとともに、ＦＭラジオ放送波を受信する一台の通信機器が、近距離無線通信中に、８１．４ＭＨｚ又は９４．９ＭＨｚのＦＭラジオ放送波を選局すると、当該近距離無線通信により用いられる通信周波数の逓倍波によりＦＭラジオ放送波の受信が妨害されるという問題がある。
【０００６】
このような問題点を解決するため、本発明は、近距離無線通信を行うとともに、ＦＭラジオ放送波を受信する通信機器において、当該近距離無線通信により用いられる通信周波数の逓倍波によるＦＭラジオ放送波の受信妨害を低減することができる通信機器及び制御方法を提供することを目的とする。
【課題を解決するための手段】
【０００７】
上記目的を達成するため、本発明の一態様は、通信機器であって、通信相手の通信機器との間で、規定の通信周波数を用いて、近距離無線通信を行う近距離無線通信部と、電波の受信域を前記通信周波数の逓倍周波数を含む帯域に調整可能なＦＭ受信部と、前記ＦＭ受信部が前記逓倍周波数を含む帯域を受信する場合、当該帯域の受信レベルを検出する検出部と、前記受信レベルが所定の閾値より小さい場合、前記近距離無線通信部における送信電力を下げるように、前記近距離無線通信部を制御する制御部とを備えることを特徴とする。
【発明の効果】
【０００８】
この態様によると、近距離無線通信により用いられる通信周波数の逓倍波によるＦＭラジオ放送波の受信妨害を低減できるという優れた効果を奏する。
【図面の簡単な説明】
【０００９】
【図１】本発明に係る一の実施の形態としての通信システム１０の構成を示す。
【図２】通信機器１００の構成を示すブロック図である。
【図３】プリセットテーブル１４１のデータ構造を示す。
【図４】通信機器１００の動作を示すフローチャートである。
【図５】ＦＭラジオ放送の自動選局の動作を示すフローチャートである。
【図６】通信機器１００における通信処理の動作を示すフローチャートである。
【図７】変形例（１）としての通信機器１００ａの一部分の構成を示すブロック図である。
【図８】通信機器１００ａにおけるプリセットテーブル１４１ａのデータ構造を示す。
【図９】（ａ）通信機器１００ａにおける通信波１６１の強度と周波数の関係を示す。（ｂ）通信周波数がずらされた後の通信波１６３の強度と周波数の関係を示す。
【図１０】通信機器１００ａにおける通信処理の動作を示すフローチャートである。
【図１１】変形例（２）としての通信機器１００ｂにおける通信処理の動作を示すフローチャートである。
【図１２】変形例（３）としての通信機器１００ｃにおける通信処理の動作を示すフローチャートである。
【図１３】変形例（４）としての通信機器１００ｄにおける通信処理の動作を示すフローチャートである。
【発明を実施するための形態】
【００１０】
１．実施の形態
本発明に係る一の実施の形態としての通信システム１０について説明する。
通信システム１０は、図１に示すように、通信機器１００及び通信機器２００から構成されている。
通信機器１００は、一例として、映像及び音声データを記憶している。通信機器１００は、ＮＦＣを用いて、通信機器２００に対して、記憶している映像及び音声データを送信する。通信機器２００は、ＮＦＣを用いて、映像及び音声データを受信し、受信した映像及び音声データを内部に記憶する。また、通信機器１００は、ＦＭラジオ放送を受信する。
【００１１】
通信機器１００においては、受信したＦＭラジオ放送の音声レベルが可聴閾値と等しくなる又は可聴閾値より大きくなるまで、ＮＦＣの搬送波を生成する回路に供給する電圧値を段階的に下げていく。これにより、通信機器１００から放射される通信波の送信電力を下げている。この結果、近距離無線通信により用いられる通信周波数の逓倍波によるＦＭラジオ放送波の受信妨害を低減できる。
【００１２】
１．１  通信機器１００
通信機器１００は、ＮＦＣを用いて、通信相手の通信機器との間でデータの送受信を行い、ＦＭラジオ放送波を受信し、音響として出力する。また、電話機能、電子メール通信機能、映像表示機能等を有してもよい。
通信機器１００は、図２に示すように、ＦＭ受信回路１０１、ＦＭ制御回路１０２、レベル検出回路１０３、記憶部１０５、ＮＦＣ回路１０６、ＮＦＣ制御回路１０７、主制御部１０８、タッチパネル１０９、入出力制御部１１０、ボタン操作部１１１及びその他の回路から構成されている。通信機器１００には、イヤホン１０４が接続される。
【００１３】
通信機器２００は、通信機器１００と同様の構成を有しているので、詳細の説明を省略する。
なお、一例として、通信機器１００及び通信機器２００は、それぞれ、携帯電話機であるとしてもよい。
（１）記憶部１０５
記憶部１０５は、一例として、不揮発性の半導体メモリから構成されている。
【００１４】
記憶部１０５は、プリセットテーブル１４１、ＦＭ受信フラグ１５１、ＮＦＣ通信フラグ１５２、映像及び音声データ及びその他のデータ及びコンピュータプログラムを記憶している。
（ＦＭ受信フラグ１５１）
ＦＭ受信フラグ１５１は、ＦＭ受信回路１０１がＦＭラジオ放送波を受信中であるか否かを示すフラグである。ＦＭ受信フラグ１５１は、「０」及び「１」のいずれか一方の値を取る。「０」は、ＦＭ受信回路１０１が受信中でないことを示す。また、「１」は、ＦＭ受信回路１０１が受信中であることを示す。
【００１５】
（ＮＦＣ通信フラグ１５２）
ＮＦＣ通信フラグ１５２は、ＮＦＣ回路１０６が近距離無線通信を行っているか否かを示すフラグである。ＮＦＣ通信フラグ１５２は、「０」及び「１」のいずれか一方の値を取る。「０」は、ＮＦＣ回路１０６が近距離無線通信を行っていない状態であることを示す。また、「１」は、ＮＦＣ回路１０６が近距離無線通信を行っている状態であることを示す。
【００１６】
（プリセットテーブル１４１）
プリセットテーブル１４１は、ＦＭ受信回路１０１により受信可能なＦＭラジオ放送波の周波数を記憶するためのデータテーブルである。
プリセットテーブル１４１は、図３に示すように、複数のプリセット情報を記憶するための領域を備えている。各プリセット情報は、一つのＦＭラジオ放送波に対応している。各プリセット情報は、プリセット番号、受信周波数、逓倍波フラグ及び電圧値を対応付けて含む。
【００１７】
プリセット番号は、当該プリセット番号が含まれるプリセット情報を一意に識別するための識別番号である。
受信周波数は、ＦＭ受信回路１０１により受信可能なＦＭラジオ放送波の周波数を示す。この周波数の単位は、ＭＨｚである。
逓倍波フラグは、対応する受信周波数がＮＦＣの通信周波数（１３．５６ＭＨｚ）の逓倍波であるか否かを示すフラグである。逓倍波フラグは、「０」及び「１」のいずれか一方の値を取る。「０」は、対応する受信周波数がＮＦＣの通信周波数の逓倍波でないことを示す。また、「１」は、対応する受信周波数がＮＦＣの通信周波数の逓倍波であることを示す。
【００１８】
電圧値は、ＮＦＣ回路１０６の後述する搬送波生成回路１３８に設定されるべき電圧の値を示す。
プリセットテーブル１４１は、図３に示すように、一例として、プリセット情報１４６を含んでいる。プリセット情報１４６は、一例として、プリセット番号１４２「２」、受信周波数１４３「８１．４」、逓倍波フラグ１４４「１」及び電圧値１４５「Ｖ１」を対応付けて含む。ここで、受信周波数１４３「８１．４」（ＭＨｚ）は、通信周波数（１３．５６ＭＨｚ）の逓倍波である。また、逓倍波フラグ１４４「１」は、受信周波数１４３が逓倍波であることを示している。
【００１９】
（２）ＦＭ受信回路１０１
ＦＭ受信回路１０１は、チューニングによって、受信域をＮＦＣの通信周波数の逓倍周波数を含む帯域に調整可能なスーパーヘテロダイン方式のＦＭラジオ受信回路である。
ＦＭ受信回路１０１は、図２に示すように、アンテナ回路１２１、ＲＦ増幅回路１２２、混合回路１２３、局部発振回路１２４、ＩＦ増幅回路１２５、振幅制限回路１２６、ＦＭ復調回路１２７、低周波増幅回路１２８、雑音増幅整流回路１２９及びスケルチ回路１３０から構成されている。
【００２０】
アンテナ回路１２１は、放送波を受信する。ここで、イヤホン１０４と通信機器１００とを接続するケーブルがアンテナ回路１２１を兼用している。
ＲＦ増幅回路１２２は、ＦＭ制御回路１０２の選局指示により、アンテナ回路１２１により受信した放送波から、利用者の所望のＦＭラジオ放送波を選局する。次に、選局されたＦＭラジオ放送波を増幅して、増幅された高周波信号を混合回路１２３に出力する。
【００２１】
局部発振回路１２４は、ＦＭ制御回路１０２の選局指示に応じて、受信したＦＭラジオ放送波を中間周波数に変換するための局部発振信号を生成する。次に、生成した局部発振信号を混合回路１２３に対して出力する。
混合回路１２３は、ＲＦ増幅回路１２２により増幅された高周波信号と局部発振回路１２４により生成された局部発振信号により、中間周波数の中間周波数信号を生成する。中間周波数は、一例として、１０．７ＭＨｚである。
【００２２】
ＩＦ増幅回路１２５は、混合回路１２３により生成された中間周波数信号を増幅する。次に、増幅された中間周波数信号を振幅制限回路１２６に対して出力する。
振幅制限回路１２６は、増幅された中間周波数信号から、一定振幅以上の部分を除去する。一定振幅以上の部分が除去された中間周波数信号をＦＭ復調回路１２７に対して出力する。
【００２３】
ＦＭ復調回路１２７は、一定振幅以上の部分が除去された中間周波数信号をＦＭ復調して、音声信号を生成する。次に、生成した音声信号を低周波増幅回路１２８に対して出力する。
低周波増幅回路１２８は、ＦＭ復調回路１２７により生成された音声信号を増幅する。
イヤホン１０４は、低周波増幅回路１２８により増幅された音声信号を音響に変換し、音響を出力する。
【００２４】
雑音増幅整流回路１２９は、振幅制限回路１２６及びＦＭ復調回路１２７から雑音信号を受け取る。受け取った雑音信号を増幅し、さらに、整流する。増幅し整流された雑音信号をスケルチ回路１３０に対して出力する。
スケルチ回路１３０は、雑音が基準のレベルを超えている場合、低周波増幅回路１２８を停止させる。
【００２５】
（３）ＦＭ制御回路１０２
ＦＭ制御回路１０２は、主制御部１０８から、ＦＭラジオ放送の自動選局の指示及び利用者により選局された受信周波数のＦＭラジオ放送波の受信の指示を受け取る。
（利用者により選局された受信周波数のＦＭラジオ放送波の受信の処理）
主制御部１０８から、利用者により選局された受信周波数のＦＭラジオ放送波の受信の指示を受け取ると、ＦＭ制御回路１０２は、ＲＦ増幅回路１２２及び局部発振回路１２４に、ＦＭラジオ放送波の選局を指示する。これにより、ＦＭ受信回路１０１により、ＦＭラジオ放送波の受信が行われる。
【００２６】
ＦＭ制御回路１０２は、主制御部１０８から受信の終了の指示又は別の受信周波数の指定を受け取るまで、ＦＭ受信回路１０１に対して、当該受信周波数のＦＭラジオ放送波の受信を継続させる。
（ＦＭラジオ放送の自動選局）
ＦＭ制御回路１０２は、ＦＭラジオ放送の自動選局の指示を受け取ると、以下に示すようにして、ＦＭ受信回路１０１に、ＦＭラジオ放送帯の下限周波数７６．０ＭＨｚから上限周波数１０８．０ＭＨｚに向けて受信周波数をスキャンさせる。受信可能な放送波が検出されると、検出された順に、受信周波数をプリセット番号とともに、プリセットテーブル１４１に書き込む。
【００２７】
ＦＭ制御回路１０２は、記憶部１０５に記憶されているプリセットテーブル１４１を初期化する。
次に、ＦＭ制御回路１０２は、下限周波数７６．０ＭＨｚから上限周波数１０８．０ＭＨｚまで、０．１ＭＨｚ毎の受信周波数について、次の処理（ａ）〜（ｇ）を繰り返す。具体的には、受信周波数７６．０ＭＨｚ、７６．１ＭＨｚ、７６．２ＭＨｚ、７６．３ＭＨｚ、・・・、１０７．９ＭＨｚ、１０８．０ＭＨｚの各々について、処理の対象とする。
【００２８】
（ａ）ＦＭ制御回路１０２は、受信周波数をＲＦ増幅回路１２２及び局部発振回路１２４に対して出力する。
（ｂ）ＦＭ制御回路１０２は、ＦＭ受信回路１０１のアンテナ回路１２１、ＲＦ増幅回路１２２、混合回路１２３、局部発振回路１２４、ＩＦ増幅回路１２５、振幅制限回路１２６、ＦＭ復調回路１２７、低周波増幅回路１２８、雑音増幅整流回路１２９及びスケルチ回路１３０を動作させる。
【００２９】
（ｃ）ＦＭ制御回路１０２は、レベル検出回路１０３に、音声レベルを検出させる。ＦＭ制御回路１０２は、レベル検出回路１０３から音声レベルを受け取る。
（ｄ）ＦＭ制御回路１０２は、受け取った音声レベルと選局閾値とを比較する。選局閾値は、ＦＭラジオ放送波を受信できるため十分な音声レベルである。
（ｄ−１）受け取った音声レベルが選局閾値より小さい場合、ＦＭ制御回路１０２は、何もしない。
【００３０】
（ｄ−２）受け取った音声レベルが選局閾値より大きいか又は選局閾値と等しい場合、次の処理（ｅ）〜（ｇ）を行う。
（ｅ）ＦＭ制御回路１０２は、プリセット番号を設定する。ここで、最初にプリセット番号を設定する場合には、プリセット番号を「１」とする。２回目以降にプリセット番号設定する場合には、プリセット番号を、「直前に設定したプリセット番号」＋「１」とする。
【００３１】
（ｆ）ＦＭ制御回路１０２は、設定したプリセット番号と受信周波数とを、プリセットテーブル１４１のプリセット情報に書き込む。
（ｇ）ＦＭ制御回路１０２は、受信周波数が逓倍周波数か否かを判断する。つまり、受信周波数が８１．４ＭＨｚであるか、９４．９ＭＨｚであるか、その他の周波数であるかを判断する。
【００３２】
（ｇ−１）受信周波数が逓倍周波数である場合、ＦＭ制御回路１０２は、逓倍波フラグ「１」をプリセット情報に書き込む。
（ｇ−２）受信周波数が逓倍周波数でない場合、ＦＭ制御回路１０２は、逓倍波フラグ「０」をプリセット情報に書き込む。
このようにして、ＦＭ制御回路１０２は、受信可能なＦＭラジオ放送波について、プリセット番号と受信周波数と逓倍波フラグとからなるプリセット情報をプリセットテーブル１４１に書き込む。
【００３３】
（４）レベル検出回路１０３
レベル検出回路１０３は、以下に示すようにして、ＦＭ受信回路１０１がＮＦＣの通信周波数の逓倍周波数を含む帯域を受信する場合、当該帯域の受信レベルを検出する。
レベル検出回路１０３は、低周波増幅回路１２８から出力された音声信号を基にして、受信したＦＭラジオ放送波の音声レベルを検出する。次に、検出した音声レベルをＦＭ制御回路１０２に対して出力する。また、検出した音声レベルを、主制御部１０８を介して、ＮＦＣ制御回路１０７に対して出力する。
【００３４】
なお、レベル検出回路１０３は、検出した音声レベルを、主制御部１０８を介することなく、直接、ＮＦＣ制御回路１０７に対して出力してもよい。
（５）ＮＦＣ回路１０６
ＮＦＣ回路１０６は、１３．５６ＭＨｚの規定の通信周波数の通信波を用い、通信相手の通信機器との間で、例えば、通信機器２００との間で、双方向の近距離無線通信を行う。
【００３５】
ＮＦＣ回路１０６は、図２に示すように、アンテナ回路１３１、受信回路１３２、復調回路１３３、デコード回路１３４、データ処理回路１３５、変調回路１３６、エンコード回路１３７及び搬送波生成回路１３８から構成されている。
アンテナ回路１３１は、閉ループのコイルを有しており、このコイルに流れる電流が変化することで、電磁波を出力する。また、アンテナ回路１３１としてのコイルを通る磁束が変化することで、アンテナ回路１３１に電流が流れる。
【００３６】
受信回路１３２は、アンテナ回路１３１に流れる電流を受信し、同調を行い、復調回路１３３に出力する。
復調回路１３３は、受信回路１３２から供給される信号を復調し、デコード回路１３４に供給する。
デコード回路１３４は、復調回路１３３から供給される信号としての、例えばマンチェスタ符号などをデコードし、そのデコードの結果得られるデータを、データ処理回路１３５に供給する。
【００３７】
データ処理回路１３５は、デコード回路１３４から供給されるデータに基づき、例えば、トランスポート層などのプロトコルで行うべき処理、その他の所定の処理を行う。また、データ処理回路１３５は、通信相手の通信機器に送信すべきデータを、エンコード回路１３７に供給する。
エンコード回路１３７は、データ処理回路１３５から供給されるデータを、例えば、マンチェスタ符号などにエンコードし、変調回路１３６に供給する。
【００３８】
搬送波生成回路１３８は、通信周波数の搬送波を生成し、生成した搬送波を変調回路１３６に対して出力する。
変調回路１３６は、搬送波生成回路１３８から搬送波を受け取る。次に、受け取った搬送波を、エンコード回路１３７から供給される信号にしたがって変調する。次に、変調された搬送波をアンテナ回路１３１に対して出力する。こうして、アンテナ回路１３１は、変調波を通信波として放射する。
【００３９】
ここで、変調回路１３６における変調方式としては、例えば、振幅変調（ＡＳＫ（Amplitude Shift Keying））を採用することができる。但し、変調方式は、ＡＳＫに限定されるものではない。ＰＳＫ（Phase Shift Keying）やＱＡＭ（Quadrature Amplitude Modulation）、その他の変調方式を採用してもよい。
（６）ＮＦＣ制御回路１０７
ＮＦＣ制御回路１０７は、以下に示すように、レベル検出回路１０３による受信レベルが可聴閾値より小さい場合、近距離無線通信が可能な範囲内でＮＦＣ回路１０６における送信電力を下げるように、ＮＦＣ回路１０６を制御する。
【００４０】
ＮＦＣ制御回路１０７は、主制御部１０８から、ＮＦＣによる通信を行う指示を受け取る。ＮＦＣによる通信を行う指示を受け取ると、ＮＦＣ制御回路１０７は、次に示すようにして、ＮＦＣ回路１０６に対して、ＮＦＣによる通信を行うように制御する。
ＮＦＣ制御回路１０７は、ＦＭ受信回路１０１によりＦＭ放送波の受信中であるか否かを判断する。具体的には、ＮＦＣ制御回路１０７は、記憶部１０５に記憶されているＦＭ受信フラグ１５１が「０」であるか又は「１」であるかを判断する。ＦＭ放送波の受信中でない場合には、ＮＦＣ制御回路１０７は、以下に示すＮＦＣ回路１０６から放射される通信波の送信電力の削減の処理を行わない。
【００４１】
ＦＭ放送波の受信中である場合、つまり、ＦＭ受信フラグ１５１が「１」である場合、ＮＦＣ制御回路１０７は、プリセットテーブル１４１から、受信中のＦＭラジオ放送波の受信周波数を含むプリセット情報を読み出す。
次に、ＮＦＣ制御回路１０７は、読み出したプリセット情報から逓倍波フラグを抽出する。次に、抽出した逓倍波フラグが「０」であるか又は「１」であるかを判断する。言い換えると、受信中のＦＭラジオ放送波がＮＦＣの通信波の逓倍波であるか否かを判断する。抽出した逓倍波フラグが「０」である場合には、ＮＦＣ制御回路１０７は、以下に示すＮＦＣ回路１０６から放射される通信波の送信電力の削減の処理を行わない。
【００４２】
逓倍波フラグが「１」である場合、ＮＦＣ制御回路１０７は、読み出したプリセット情報に電圧値が含まれているか否かを判断する。読み出したプリセット情報に電圧値が含まれている場合、ＮＦＣ制御回路１０７は、プリセット情報に含まれる電圧値により、ＮＦＣ回路１０６の搬送波生成回路１３８の送信電力を設定する。一方、読み出したプリセット情報に電圧値が含まれていない場合、ＮＦＣ制御回路１０７は、予め定められたデフォルト値により、ＮＦＣ回路１０６の搬送波生成回路１３８の送信電力を設定する。
【００４３】
ここで、デフォルト値は、ＮＦＣによる通信と同時にＦＭラジオ放送波を受信しない場合、又は、ＮＦＣによる通信と同時に、ＮＦＣの通信波の逓倍波に相当する受信周波数のＦＭラジオ放送波を受信しない場合に、ＮＦＣ回路１０６の搬送波生成回路１３８に設定される電圧値である。
次に、ＮＦＣ制御回路１０７は、ＮＦＣ回路１０６に対して、データ信号が乗せられていない搬送波を放射するように制御する。データ信号が乗せられていない搬送波の放射は、データ信号が乗せられた搬送波の放射の直前まで、継続して行われる。
【００４４】
次に、ＮＦＣ制御回路１０７は、レベル検出回路１０３から、主制御部１０８を介して、音声レベルを受け取る。ＮＦＣ制御回路１０７は、受け取った音声レベルと可聴閾値とを比較する。
ここで、可聴閾値は、一例として、ＦＭ受信回路１０１から出力される音声信号（電圧値）のpeak to peak値の２０パーセントの値である。つまり、最大電圧値と最小電圧値との差の２０パーセントの値である。
【００４５】
音声レベルが可聴閾値より大きい又は可聴閾値と等しい場合、ＮＦＣ制御回路１０７は、電圧値をプリセットテーブル１４１に書き込む。プリセットテーブル１４１に書き込まれた電圧値は、次に、現在受信中のＦＭラジオ放送波の周波数と同一の周波数のＦＭラジオ放送波を受信するとともに、ＮＦＣによる通信を行う際に、用いられる。次に、ＮＦＣ制御回路１０７は、データ処理回路１３５、エンコード回路１３７、変調回路１３６、アンテナ回路１３１及び搬送波生成回路１３８に対して、データの送信を繰り返すよう、制御する。
【００４６】
音声レベルが可聴閾値より小さい場合、ＮＦＣ制御回路１０７は、電圧値を、一例として、１０パーセント減らす。次に、減らされた電圧値により、ＮＦＣ回路１０６の搬送波生成回路１３８の送信電力を設定する。
次に、ＮＦＣ制御回路１０７は、データの乗せられていない搬送波の放射の制御、音声レベルの受け取り、音声レベルと可聴閾値との比較、電圧値の削減及び送信電力の設定を繰り返す。
【００４７】
以上説明したように、ＮＦＣ制御回路１０７は、受信レベルが前記可聴閾値に等しく又は前記可聴閾値より大きくなるまで、ＮＦＣ回路１０６の送信電力を段階的に下げるように制御する。
（７）主制御部１０８
主制御部１０８は、通信機器１００を構成するその他の構成要素を制御する。
【００４８】
主制御部１０８は、具体的には、マイクロプロセッサから構成されている。マイクロプロセッサは、記憶部１０５に記憶されているコンピュータプログラムに従って動作する。
主制御部１０８は、タッチパネル１０９又はボタン操作部１１１から、利用者の操作に対応する入力信号を受け取る。利用者の操作には、ＦＭラジオ放送の自動選局、ＦＭラジオ放送の受信周波数の選択、ＮＦＣによる通信指示及びその他の操作が含まれる。次に、主制御部１０８は、受け取った入力信号により、利用者の操作の種類を判断する。
【００４９】
利用者の操作がＦＭラジオ放送の自動選局である場合、主制御部１０８は、ＮＦＣ回路１０６により近距離無線通信が行われているか否かを判断する。この判断は、ＮＦＣ通信フラグ１５２を用いて行う。ＮＦＣ通信フラグ１５２が「０」であるとき、主制御部１０８は、ＦＭ制御回路１０２、レベル検出回路１０３及びＦＭ受信回路１０１に対して、ＦＭラジオ放送の自動選局の処理を行うように指示する。ＮＦＣ通信フラグ１５２が「１」であるとき、主制御部１０８は、ＦＭ制御回路１０２、レベル検出回路１０３及びＦＭ受信回路１０１に対して、ＦＭラジオ放送の自動選局の処理を行うように指示しない。これは、ＮＦＣ回路１０６から放射される通信波の影響を避けるためである。
【００５０】
利用者の操作がＦＭラジオ放送の受信周波数の選択である場合、主制御部１０８は、ＦＭ制御回路１０２に対して、選択された受信周波数のＦＭラジオ放送波を受信するように指示する。
利用者の操作がＮＦＣによる通信指示である場合、主制御部１０８は、ＮＦＣ通信フラグ１５２を「１」に設定する。次に、ＮＦＣ制御回路１０７に対して、ＮＦＣによる通信を行うように指示する。主制御部１０８は、ＮＦＣ回路１０６による近距離無線通信が終了した場合、ＮＦＣ通信フラグ１５２を「０」に設定する。
【００５１】
利用者の操作がその他の操作である場合、主制御部１０８は、その他の処理を行う。
（８）タッチパネル１０９、入出力制御部１１０及びボタン操作部１１１
（タッチパネル１０９）
タッチパネル１０９は、タッチパッド部１０９ａ及び表示パネル部１０９ｂから構成されている。表示パネル部１０９ｂは、矩形の表示面を有し、表示面には、タッチパッド部１０９ａが取り付けられている。表示パネル部１０９ｂは、一例として、液晶ディスプレイにより構成されている。表示パネル部１０９ｂは、主制御部１０８から、入出力制御部１１０を介して受信したアイコン等やその他のオブジェクトを含む画面を表示する。タッチパッド部１０９ａは、タッチパネル１０９の表示面に対する操作体の接触位置を検出し、検出した接触位置を、入力信号として、入出力制御部１１０に対して出力する。
【００５２】
（ボタン操作部１１１）
ボタン操作部１１１は、複数のボタンを備える。各ボタンは、通信機器１００の側面又は上面に配置される。各ボタンは、それぞれ、一つの操作を受け付けるために、利用者に押下されることにより、操作される。
一つのボタンは、一例として、オプションのメニューを表示するために用いられるボタンである。また、別のボタンは、一例として、デスクトップを表示するために用いられるボタンである。さらに、別のボタンは、一例として、電源をＯＮ又はＯＦＦにするために用いられるボタンである。
【００５３】
各ボタンが操作されると、ボタン操作部１１１は、各ボタンに対する操作を示す操作信号を、入力信号として、入出力制御部１１０を介して、主制御部１０８に対して出力する。
（入出力制御部１１０）
入出力制御部１１０は、タッチパネル１０９と主制御部１０８との間で、情報の入出力を中継する。また、入出力制御部１１０は、ボタン操作部１１１から入力信号を受け取り、受け取った入力信号を主制御部１０８に対して出力する。
【００５４】
１．２  通信機器１００の動作
通信機器１００の動作について説明する。
（１）通信機器１００の動作
通信機器１００の動作について、図４に示すフローチャートを用いて説明する。
タッチパネル１０９又はボタン操作部１１１は、利用者の操作を受け付ける。タッチパネル１０９又はボタン操作部１１１は、操作に対応する入力信号を主制御部１０８に対して出力する（ステップＳ１００）。
【００５５】
主制御部１０８は、受け取った入力信号により、操作の種類を判断する（ステップＳ１０１）。
操作がＦＭラジオ放送の自動選局である場合（ステップＳ１０１で「ＦＭラジオ放送の自動選局」）、主制御部１０８は、ＮＦＣ通信フラグ１５２が「０」であるか又は「１」であるかを判断する（ステップＳ１０２）。ＮＦＣ通信フラグ１５２が「１」である場合（ステップＳ１０２で「１」）、ステップＳ１００へ戻って処理を繰り返す。ＮＦＣ通信フラグ１５２が「０」である場合（ステップＳ１０２で「０」）、主制御部１０８の指示により、ＦＭ制御回路１０２、レベル検出回路１０３及びＦＭ受信回路１０１は、ＦＭラジオ放送の自動選局の処理を行う（ステップＳ１０３）。次に、ステップＳ１００へ戻って処理を繰り返す。
【００５６】
操作がＦＭラジオ放送の受信周波数の選択である場合（ステップＳ１０１で「ＦＭラジオ放送の受信周波数の選択」）、主制御部１０８は、ＦＭ制御回路１０２に対して、選択された受信周波数のＦＭラジオ放送波を受信するように指示する（ステップＳ１０４）。次に、ステップＳ１００へ戻って処理を繰り返す。選択された受信周波数のＦＭラジオ放送波を受信する指示を受け取ると、ＦＭ制御回路１０２は、ＦＭ受信フラグ１５１を「１」に設定する（ステップＳ１１１）。次に、ＦＭ受信回路１０１は、ＦＭ制御回路１０２により指定された周波数の放送波を受信、選局、ＲＦ増幅、変換、ＩＦ増幅、ＦＭ復調、低周波増幅及び雑音除去を行う（ステップＳ１１２）。放送波の受信、選局、ＲＦ増幅、変換、ＩＦ増幅、ＦＭ復調、低周波増幅及び雑音除去は、ＦＭ制御回路１０２から終了の指示又は別の受信周波数の指定があるまで、継続して行われる。
【００５７】
操作がＮＦＣによる通信指示である場合（ステップＳ１０１で「ＮＦＣによる通信指示」）、主制御部１０８は、ＮＦＣ通信フラグ１５２を「１」に設定する（ステップＳ１０５）。次に、主制御部１０８は、ＮＦＣ制御回路１０７に対して、ＮＦＣによる通信を行うように指示する（ステップＳ１０６）。次に、ステップＳ１００へ戻って処理を繰り返す。ＮＦＣによる通信指示を行う指示を受け取ると、ＮＦＣ制御回路１０７及びＮＦＣ回路１０６は、近距離無線通信処理を行う（ステップＳ１２１）。
【００５８】
操作がその他の操作である場合（ステップＳ１０１で「その他の操作」）、主制御部１０８は、その他の処理を行う（ステップＳ１０７）。次に、ステップＳ１００へ戻って処理を繰り返す。
（２）ＦＭラジオ放送の自動選局の動作
ＦＭ制御回路１０２は、ＦＭ受信回路１０１に、ＦＭラジオ放送帯の下限周波数から上限周波数に向けて受信周波数をスキャンさせる。受信可能な放送波が検出されると、検出された順に、受信周波数をプリセット番号とともに、プリセットテーブル１４１に書き込む。ここでは、ＦＭ受信回路１０１、ＦＭ制御回路１０２及びレベル検出回路１０３によるＦＭラジオ放送の自動選局の動作について、図５に示すフローチャートを用いて説明する。
【００５９】
ＦＭ制御回路１０２は、記憶部１０５に記憶されているプリセットテーブル１４１を初期化する（ステップＳ１４１）。
ＦＭ制御回路１０２は、下限周波数７６．０ＭＨｚから上限周波数１０８．０ＭＨｚまで、０．１ＭＨｚ毎の受信周波数について、ステップＳ１４３からステップＳ１５０までを繰り返す（ステップＳ１４２〜Ｓ１５１）。
【００６０】
ＦＭ制御回路１０２は、受信周波数をＦＭ受信回路１０１のＲＦ増幅回路１２２及び局部発振回路１２４に対して出力する（ステップＳ１４３）。
次に、アンテナ回路１２１は、放送波を受信する。ＲＦ増幅回路１２２は、利用者の所望のＦＭラジオ放送波を選局し、選局されたＦＭラジオ放送波を増幅する。局部発振回路１２４は、局部発振信号を生成する。混合回路１２３は、中間周波数の中間周波数信号を生成する。ＩＦ増幅回路１２５は、中間周波数信号を増幅する。振幅制限回路１２６は、増幅された中間周波数信号から、一定振幅以上の部分を除去する。ＦＭ復調回路１２７は、中間周波数信号をＦＭ復調する。低周波増幅回路１２８は、ＦＭ復調回路１２７により生成された音声信号を増幅する。雑音増幅整流回路１２９及びスケルチ回路１３０は、雑音が基準のレベルを超えている場合、低周波増幅回路１２８を停止させる（ステップＳ１４４）。
【００６１】
レベル検出回路１０３は、低周波増幅回路１２８から出力される音声信号から音声レベルを検出し、検出した音声レベルをＦＭ制御回路１０２に対して出力する。次に、ＦＭ制御回路１０２は、レベル検出回路１０３から音声レベルを受け取る（ステップＳ１４５）。
次に、ＦＭ制御回路１０２は、受け取った音声レベルと選局閾値とを比較する（ステップＳ１４６）。
【００６２】
受け取った音声レベルが選局閾値より大きいか又は選局閾値と等しい場合（ステップＳ１４６で「ＹＥＳ」）、ＦＭ制御回路１０２は、プリセット番号を設定する。次に、設定したプリセット番号と受信周波数とを、プリセットテーブル１４１のプリセット情報に書き込む（ステップＳ１４７）。
次に、ＦＭ制御回路１０２は、受信周波数が逓倍周波数か否かを判断する（ステップＳ１４８）。
【００６３】
受信周波数が逓倍周波数である場合（ステップＳ１４８で「ＹＥＳ」）、ＦＭ制御回路１０２は、逓倍波フラグ「１」をプリセット情報に書き込む（ステップＳ１４９）。
受信周波数が逓倍周波数でない場合（ステップＳ１４８で「ＮＯ」）、ＦＭ制御回路１０２は、逓倍波フラグ「０」をプリセット情報に書き込む（ステップＳ１５０）。
受け取った音声レベルが選局閾値より小さい場合（ステップＳ１４６で「ＮＯ」）、ＦＭ制御回路１０２は、何もしない。
【００６４】
このようにして、ＦＭ制御回路１０２は、受信可能なＦＭラジオ放送波について、プリセット番号と受信周波数と逓倍波フラグとからなるプリセット情報をプリセットテーブル１４１に書き込む。
（３）ＮＦＣによる通信処理の動作
通信機器１００と通信機器２００との間のＮＦＣによる通信処理の動作について、図６に示すフローチャートを用いて説明する。
【００６５】
ＮＦＣ制御回路１０７は、記憶部１０５に記憶されているＦＭ受信フラグ１５１が「０」であるか又は「１」であるかを判断する（ステップＳ１７１）。
ＦＭ受信フラグ１５１が「１」である場合（ステップＳ１７１で「１」）、ＮＦＣ制御回路１０７は、プリセットテーブル１４１から、受信中のＦＭラジオ放送波の受信周波数を含むプリセット情報を読み出す（ステップＳ１７２）。
【００６６】
次に、ＮＦＣ制御回路１０７は、読み出したプリセット情報から逓倍波フラグを抽出する。次に、抽出した逓倍波フラグが「０」であるか又は「１」であるかを判断する（ステップＳ１７３）。
逓倍波フラグが「１」である場合（ステップＳ１７３で「１」）、ＮＦＣ制御回路１０７は、読み出したプリセット情報に電圧値が含まれているか否かを判断する（ステップＳ１７４）。読み出したプリセット情報に電圧値が含まれている場合（ステップＳ１７４で「有り」）、ＮＦＣ制御回路１０７は、プリセット情報に含まれる電圧値により、ＮＦＣ回路１０６の搬送波生成回路１３８の送信電力を設定する（ステップＳ１７５）。
【００６７】
読み出したプリセット情報に電圧値が含まれていない場合（ステップＳ１７４で「無し」）、ＮＦＣ制御回路１０７は、デフォルト値により、ＮＦＣ回路１０６の搬送波生成回路１３８の送信電力を設定する（ステップＳ１７６）。
次に、ＮＦＣ回路１０６は、ＮＦＣ制御回路１０７の制御により、データ信号が乗せられていない搬送波を放射する（ステップＳ１７７）。
【００６８】
次に、レベル検出回路１０３は、ＦＭラジオ放送波の音声レベルを検出し、検出した音声レベルを、主制御部１０８を介して、ＮＦＣ制御回路１０７に対して出力する。ＮＦＣ制御回路１０７は、レベル検出回路１０３から、主制御部１０８を介して、音声レベルを受け取る（ステップＳ１７８）。
次に、ＮＦＣ制御回路１０７は、受け取った音声レベルと可聴閾値とを比較する（ステップＳ１７９）。音声レベルが可聴閾値より大きい又は可聴閾値と等しい場合（ステップＳ１７９で「ＹＥＳ」）、ＮＦＣ制御回路１０７は、電圧値をプリセットテーブル１４１に書き込む（ステップＳ１８２）。
【００６９】
次に、ＮＦＣ制御回路１０７は、データ処理回路１３５、エンコード回路１３７、変調回路１３６、アンテナ回路１３１及び搬送波生成回路１３８により、データの送信を繰り返す（ステップＳ１８３、Ｓ１８４、Ｓ１８５、・・・、Ｓ１８６）。
通信機器２００は、データの受信を繰り返す（ステップＳ１８３、Ｓ１８４、Ｓ１８５、・・・、Ｓ１８６）。
【００７０】
これにより、ＮＦＣによるデータの送受信を終了する。
音声レベルが可聴閾値より小さい場合（ステップＳ１７９で「ＮＯ」）、ＮＦＣ制御回路１０７は、電圧値を１０パーセント減らす（ステップＳ１８０）。次に、減らされた電圧値により、ＮＦＣ回路１０６の搬送波生成回路１３８の送信電力を設定する（ステップＳ１８１）。次に、ステップＳ１７７へ戻って処理を繰り返す。
【００７１】
ＦＭ受信フラグ１５１が「０」である場合（ステップＳ１７１で「０」）、逓倍波フラグが「０」である場合（ステップＳ１７３で「０」）、ＮＦＣ制御回路１０７は、ステップＳ１８３へ制御を移す。
１．３  まとめ
以上述べたように、音声レベルが可聴閾値と等しくなる又は可聴閾値より大きくなるまで、ＮＦＣ回路１０６の搬送波生成回路１３８に供給する電圧値を段階的に下げていき、放射される通信波の送信電力を下げる。これにより、近距離無線通信により用いられる通信周波数の逓倍波によるＦＭラジオ放送波の受信妨害を低減できる。
【００７２】
２．変形例（１）
上記の実施の形態の変形例としての通信機器１００ａについて、説明する。
上記の実施の形態の通信機器１００においては、上述したように、音声レベルが可聴閾値と等しくなる又は可聴閾値より大きくなるまで、ＮＦＣ回路１０６の搬送波生成回路１３８に供給する電圧値を段階的に下げていく。
【００７３】
これに対して、通信機器１００ａにおいては、以下に説明するように、音声レベルが可聴閾値と等しくなる又は可聴閾値より大きくなるまで、共振周波数を段階的に変更する。この点において、通信機器１００ａは、通信機器１００と相違している。
通信機器１００ａは、通信機器１００と同様の構成を有している。ここでは、通信機器１００との相違点を中心として説明する。
【００７４】
通信機器１００ａは、通信機器１００のＮＦＣ回路１０６に代えて、図７に示すＮＦＣ回路１０６ａを有している。また、通信機器１００ａは、通信機器１００のＮＦＣ制御回路１０７に代えて、図７に示すＮＦＣ制御回路１０７ａを有している。さらに、通信機器１００ａの記憶部１０５は、通信機器１００のプリセットテーブル１４１に代えて、プリセットテーブル１４１ａを記憶している。
【００７５】
２．１  プリセットテーブル１４１ａ
プリセットテーブル１４１ａは、プリセットテーブル１４１と同様に、ＦＭ受信回路１０１により受信可能なＦＭラジオ放送波の周波数を記憶するためのデータテーブルである。
プリセットテーブル１４１ａは、図８に示すように、複数のプリセット情報を記憶するための領域を備えている。各プリセット情報は、一つのＦＭラジオ放送波に対応している。各プリセット情報は、プリセット番号、受信周波数、逓倍波フラグ及びキャパシタ値を対応付けて含む。
【００７６】
プリセット番号、受信周波数及び逓倍波フラグは、それぞれ、プリセットテーブル１４１のプリセット番号、受信周波数及び逓倍波フラグと同一である。
キャパシタ値は、ＮＦＣ回路１０６ａの後述するアンテナ回路１３１ａに設定される静電容量である。
プリセットテーブル１４１ａは、図８に示すように、一例として、プリセット情報１４６ａを含んでいる。プリセット情報１４６ａは、一例として、プリセット番号１４２ａ「２」、受信周波数１４３ａ「８１．４」、逓倍波フラグ１４４ａ「１」及びキャパシタ値１４５ａ「Ｃ１」を対応付けて含む。
【００７７】
２．２  ＮＦＣ回路１０６ａ
ＮＦＣ回路１０６ａは、ＮＦＣ回路１０６と同様の構成を有している。ここでは、ＮＦＣ回路１０６との相違点を中心として説明する。
ＮＦＣ回路１０６は、図７に示すように、ＮＦＣ回路１０６のアンテナ回路１３１に代えて、アンテナ回路１３１ａを有している。
【００７８】
アンテナ回路１３１ａは、閉ループのコイルに加えて、可変容量ダイオードを有している。アンテナ回路１３１ａは、ＮＦＣ制御回路１０７ａの制御により、可変容量ダイオードの静電容量を変化させる。この結果、アンテナ回路１３１ａの共振周波数が変化する。
２．３  ＮＦＣ制御回路１０７ａ
ＮＦＣ制御回路１０７ａは、ＮＦＣ制御回路１０７と同様の構成を有している。
【００７９】
ここでは、ＮＦＣ制御回路１０７とＮＦＣ制御回路１０７ａとの相違点を中心として説明する。
ＮＦＣ制御回路１０７ａは、ＦＭ放送波の受信中である場合、つまり、ＦＭ受信フラグ１５１が「１」である場合、プリセットテーブル１４１ａから、受信中のＦＭラジオ放送波の受信周波数を含むプリセット情報を読み出す。
【００８０】
次に、ＮＦＣ制御回路１０７は、読み出したプリセット情報に含まれている逓倍波フラグが「１」である場合、読み出したプリセット情報にキャパシタ値が含まれているか否かを判断する。
読み出したプリセット情報にキャパシタ値が含まれている場合、ＮＦＣ制御回路１０７ａは、プリセット情報に含まれるキャパシタ値により、ＮＦＣ回路１０６ａのアンテナ回路１３１ａの静電容量を設定する。
【００８１】
一方、読み出したプリセット情報にキャパシタ値が含まれていない場合、ＮＦＣ制御回路１０７ａは、予め定められたデフォルト値により、ＮＦＣ回路１０６ａのアンテナ回路１３１ａの静電容量を設定する。この場合におけるアンテナ回路１３１ａの共振周波数は、１３．５６ＭＨｚである。
ここで、デフォルト値は、ＮＦＣによる通信と同時に、ＦＭラジオ放送波を受信しない場合、又は、ＮＦＣによる通信と同時に、ＮＦＣの通信波の逓倍波に相当する受信周波数のＦＭラジオ放送波を受信しない場合に、ＮＦＣ回路１０６ａのアンテナ回路１３１ａに設定される静電容量である。
【００８２】
次に、ＮＦＣ制御回路１０７ａは、ＮＦＣ回路１０６ａに対して、データ信号が乗せられていない搬送波を放射するように制御する。データ信号が乗せられていない搬送波の放射は、データ信号が乗せられた搬送波の放射の直前まで、継続して行われる。
次に、ＮＦＣ制御回路１０７ａは、レベル検出回路１０３から受け取った音声レベルと可聴閾値とを比較する。
【００８３】
音声レベルが可聴閾値より大きい又は可聴閾値と等しい場合、ＮＦＣ制御回路１０７ａは、キャパシタ値をプリセットテーブル１４１ａに書き込む。プリセットテーブル１４１に書き込まれたキャパシタ値は、次に、現在受信中のＦＭラジオ放送波の周波数と同一の周波数のＦＭラジオ放送波を受信するとともに、ＮＦＣによる通信を行う際に、用いられる。次に、ＮＦＣ制御回路１０７ａは、データ処理回路１３５、エンコード回路１３７、変調回路１３６、アンテナ回路１３１ａ及び搬送波生成回路１３８に対して、データの送信を繰り返すよう、制御する。
【００８４】
音声レベルが可聴閾値より小さい場合、ＮＦＣ制御回路１０７ａは、キャパシタ値を変化分Δｃだけ減らす。次に、減らされたキャパシタ値により、ＮＦＣ回路１０６のアンテナ回路１３１ａの静電容量を設定するよう制御する。ここで、変化分Δｃは、一例として、アンテナ回路１３１ａの共振周波数を１００ＫＨｚだけ増やす量に相当する。なお、アンテナ回路１３１ａの共振周波数を１００ＫＨｚだけ減らすとしてもよい。また、共振周波数の増減量は、これには限定されない。共振周波数の増減量を、５０ＫＨｚ、１５０ＫＨｚ、２００ＫＨｚなどとしてもよい。
【００８５】
ＮＦＣ制御回路１０７ａは、１ＭＨｚの範囲内において、アンテナ回路１３１ａの共振周波数を変化させることができる。
次に、ＮＦＣ制御回路１０７ａは、データの乗せられていない搬送波の放射の制御、音声レベルの受け取り、音声レベルと可聴閾値との比較、キャパシタ値の削減及びキャパシタ値の設定を繰り返す。
【００８６】
２．４  通信波の特性
ここで、ＮＦＣ回路１０６ａから放射される通信波について説明する。
ＮＦＣによる通信と同時に、ＦＭラジオ放送波を受信しない場合、又は、ＮＦＣによる通信と同時に、ＮＦＣの通信波の逓倍波に相当する受信周波数のＦＭラジオ放送波を受信しない場合に、ＮＦＣ回路１０６ａから放射される通信波は、図９（ａ）に示すような特性を有する。
【００８７】
図９（ａ）では、横軸に周波数を示し、縦軸に通信波の強度を示す。この図に示すように、通信波１６１は、中心周波数として、１３．５６ＭＨｚの周波数成分だけでなく、１３．５６ＭＨｚを中心とし、所定閾値以下の周波数帯域幅を有する狭帯域内の周波数を含む。
ＮＦＣによる通信周波数は、通信波１６１の中心周波数１６２と一致している。通信波１６１は、中心周波数１６２においてピーク値を有する。
【００８８】
次に、ＮＦＣによる通信と同時に、ＮＦＣの通信波の逓倍波に相当する受信周波数のＦＭラジオ放送波を受信する場合に、上述したように、通信機器１００ａにおいては、ＮＦＣ回路１０６ａのアンテナ回路１３１ａの静電容量を段階的に変化させる。この場合、ＮＦＣ回路１０６ａから放射される通信波は、図９（ｂ）に示すような特性を有する。
図９（ｂ）では、横軸に周波数を示し、縦軸に通信波の強度を示す。この図に示すように、通信波１６３は、図９（ａ）に示す通信波１６１と同様に、狭帯域内の周波数成分を含む。通信波１６１とは違って、通信波１６３の中心周波数は、通信周波数１３．５６ＭＨｚからずれている。
【００８９】
ＮＦＣによる通信周波数１６４は、通信波１６３の中心周波数と一致していない。また、通信波１６３は、通信周波数１６４においてピーク値を有しない。
すなわち、通信周波数１６４において、強度は、ピーク値より低くなる。このため、送信電力を低くすることと同じ効果を奏する。
２．５  ＮＦＣによる通信処理の動作
通信機器１００ａと通信機器２００との間のＮＦＣによる通信処理の動作について、図１０に示すフローチャートを用いて説明する。なお、図１０に示すフローチャートと、図６に示すフローチャートとにおいて、同じステップ番号を付したステップの内容は、同一である。
【００９０】
ＮＦＣ制御回路１０７ａは、記憶部１０５に記憶されているＦＭ受信フラグ１５１が「０」であるか又は「１」であるかを判断する（ステップＳ１７１）。
ＦＭ受信フラグ１５１が「１」である場合（ステップＳ１７１で「１」）、ＮＦＣ制御回路１０７ａは、プリセットテーブル１４１ａから、受信中のＦＭラジオ放送波の受信周波数を含むプリセット情報を読み出す（ステップＳ１７２ａ）。
【００９１】
次に、ＮＦＣ制御回路１０７ａは、読み出したプリセット情報から逓倍波フラグを抽出する。次に、抽出した逓倍波フラグが「０」であるか又は「１」であるかを判断する（ステップＳ１７３）。
逓倍波フラグが「１」である場合（ステップＳ１７３で「１」）、ＮＦＣ制御回路１０７ａは、読み出したプリセット情報にキャパシタ値が含まれているか否かを判断する（ステップＳ１７４ａ）。読み出したプリセット情報にキャパシタ値が含まれている場合（ステップＳ１７４ａで「有り」）、ＮＦＣ制御回路１０７ａは、プリセット情報に含まれるキャパシタ値により、ＮＦＣ回路１０６ａのアンテナ回路１３１ａの静電容量を設定する（ステップＳ１７５ａ）。
【００９２】
読み出したプリセット情報にキャパシタ値が含まれていない場合（ステップＳ１７４ａで「無し」）、ＮＦＣ制御回路１０７ａは、デフォルト値により、ＮＦＣ回路１０６ａのアンテナ回路１３１ａの静電容量を設定する（ステップＳ１７６ａ）。
次に、ＮＦＣ回路１０６ａは、データ信号が乗せられていない搬送波を放射する（ステップＳ１７７）。
【００９３】
次に、レベル検出回路１０３は、ＦＭラジオ放送波の音声レベルを検出し、検出した音声レベルを、主制御部１０８を介して、ＮＦＣ制御回路１０７ａに対して出力する。ＮＦＣ制御回路１０７ａは、レベル検出回路１０３から、主制御部１０８を介して、音声レベルを受け取る（ステップＳ１７８）。
次に、ＮＦＣ制御回路１０７ａは、受け取った音声レベルと可聴閾値とを比較する（ステップＳ１７９）。音声レベルが可聴閾値より大きい又は可聴閾値と等しい場合（ステップＳ１７９で「ＹＥＳ」）、ＮＦＣ制御回路１０７ａは、キャパシタ値をプリセットテーブル１４１ａに書き込む（ステップＳ１８２ａ）。
【００９４】
次に、ＮＦＣ制御回路１０７ａは、データ処理回路１３５、エンコード回路１３７、変調回路１３６、アンテナ回路１３１ａ及び搬送波生成回路１３８により、データの送信を繰り返す（ステップＳ１８３、Ｓ１８４、Ｓ１８５、・・・、Ｓ１８６）。
通信機器２００は、データの受信を繰り返す（ステップＳ１８３、Ｓ１８４、Ｓ１８５、・・・、Ｓ１８６）。
【００９５】
これにより、ＮＦＣによるデータの送受信を終了する。
音声レベルが可聴閾値より小さい場合（ステップＳ１７９で「ＮＯ」）、ＮＦＣ制御回路１０７ａは、キャパシタ値をΔｃだけ減らす（ステップＳ１８０ａ）。次に、減らされたキャパシタ値により、ＮＦＣ回路１０６ａのアンテナ回路１３１ａの静電容量を設定する（ステップＳ１８１ａ）。次に、ステップＳ１７８へ戻って処理を繰り返す。
【００９６】
ＦＭ受信フラグ１５１が「０」である場合（ステップＳ１７１で「０」）、逓倍波フラグが「０」である場合（ステップＳ１７３で「０」）、ＮＦＣ制御回路１０７ａは、ステップＳ１８３へ制御を移す。
２．６  まとめ
以上述べたように、音声レベルが可聴閾値と等しくなる又は可聴閾値より大きくなるまで、ＮＦＣ回路１０６ａのアンテナ回路１３１ａの静電容量を段階的に変化させることにより、ＮＦＣ回路１０６ａの共振周波数を変化させる。この結果、ＮＦＣ回路１０６ａのアンテナ回路１３１ａから放射される通信波の通信周波数における送信電力を下げることができる。これにより、近距離無線通信により用いられる通信周波数の逓倍波によるＦＭラジオ放送波の受信妨害を低減できる。
【００９７】
３．変形例（２）
上記の実施の形態の変形例としての通信機器１００ｂについて、説明する。
上記の実施の形態の通信機器１００においては、上述したように、音声レベルが可聴閾値と等しくなる又は可聴閾値より大きくなるまで、ＮＦＣ回路１０６の搬送波生成回路１３８に供給する電圧値を段階的に下げていく。これにより、放射される通信波の送信電力を下げている。
【００９８】
これに対して、通信機器１００ｂにおいては、以下に説明するように、搬送波生成回路１３８に供給する電圧値が電圧閾値より小さくならないように、制限している。これにより、放射される通信波の送信電力が制限なく下がることを防いでいる。
通信機器１００ｂは、通信機器１００と同様の構成を有している。ここでは、通信機器１００との相違点を中心として説明する。
【００９９】
通信機器１００ｂと通信機器２００との間のＮＦＣによる通信処理の動作について、図１１に示すフローチャートを用いて説明する。
図１１に示すフローチャートにおいては、図６に示すフローチャートのステップＳ１８０とステップＳ１８１の間に、ステップＳ１９０及びＳ１９１を挿入している。なお、図１１に示すフローチャートと、図６に示すフローチャートとにおいて、同じステップ番号を付したステップの内容は、同一である。また、図１１に示すフローチャートでは、図６に示すステップの一部の表示を省略している。
【０１００】
ステップＳ１８０において、ＮＦＣ制御回路１０７は、電圧値を１０パーセント減らす。次に、ＮＦＣ制御回路１０７は、減らされた電圧値が電圧閾値以上であるか否かを判断する（ステップＳ１９０）。
減らされた電圧値が電圧閾値以上である場合（ステップＳ１９０で「ＹＥＳ」）、ＮＦＣ制御回路１０７は、減らされた電圧値により、ＮＦＣ回路１０６の搬送波生成回路１３８の送信電力を設定する（ステップＳ１８１）。次に、ステップＳ１７７へ戻って処理を繰り返す。
【０１０１】
減らされた電圧値が電圧閾値より小さい場合（ステップＳ１９０で「ＮＯ」）、ＮＦＣ制御回路１０７は、減らされた電圧値を、直前の電圧値に戻す（ステップＳ１９１）。次に、ＮＦＣ制御回路１０７は、直前の電圧値をプリセットテーブル１４１に書き込む（ステップＳ１８２）。この後、通信機器１００ｂと通信機器２００との間でデータの送受信が行われる。
【０１０２】
ここで、電圧閾値は、ＮＦＣによる通信と同時に、ＦＭラジオ放送波を受信しない場合に、ＮＦＣ回路１０６の搬送波生成回路１３８に設定される電圧値の５０パーセントの値である。なお、これは、一例であり、電圧閾値は、５０パーセントには限定されない。６５パーセント、６０パーセント、５５パーセントなどとしてもよい。
言い換えると、ＮＦＣ制御回路１０７は、送信電力と電力閾値とを比較し、送信電力が電力閾値より大きいか又は電力閾値と等しい範囲内において、ＮＦＣ回路１０６の送信電力を下げるように制御する。
【０１０３】
以上説明したように、通信機器１００ｂにおいては、上述したように、音声レベルが可聴閾値と等しくなる又は可聴閾値より大きくなるまで、ＮＦＣ回路１０６の搬送波生成回路１３８に供給する電圧値を段階的に下げていく場合に、電圧値が電圧閾値より小さくなれば、その時点で電圧値を直前の電圧値に戻している。これにより、ＮＦＣ回路１０６により放射される通信波の送信電力が制限なく下がることを防いでいる。この結果、通信機器１００ｂと通信機器２００との間で、ＮＦＣによる近距離無線通信が行えなくなることを防いでいる。
【０１０４】
４．変形例（３）
上記の実施の形態の変形例としての通信機器１００ｃについて、説明する。
変形例（２）の通信機器１００ｂにおいては、上述したように、ＮＦＣ回路１０６の搬送波生成回路１３８に供給する電圧値を段階的に下げていく場合に、電圧値が電圧閾値より小さくなれば、その時点で電圧値を直前の電圧値に戻している。
【０１０５】
これに対して、通信機器１００ｃにおいては、以下に説明するように、電圧値と電圧閾値との比較に代えて、通信相手の通信機器２００からの応答を受信したか否かを判断し、応答を受信しなかった場合に、電圧値を直前の電圧値に戻す。
通信機器１００ｃは、通信機器１００ｂと同様の構成を有している。ここでは、通信機器１００ｂとの相違点を中心として説明する。
【０１０６】
通信機器１００ｃと通信機器２００との間のＮＦＣによる通信処理の動作について、図１２に示すフローチャートを用いて説明する。
図１２に示すフローチャートにおいては、図１１に示すフローチャートのステップＳ１９０〜Ｓ１９１を削除し、Ｓ１８１の後に、ステップＳ２０１〜Ｓ２０５を挿入している。なお、図１２に示すフローチャートと、図１１に示すフローチャートとにおいて、同じステップ番号を付したステップの内容は、同一である。
【０１０７】
ステップＳ１８１において、ＮＦＣ制御回路１０７は、減らされた電圧値により、ＮＦＣ回路１０６の搬送波生成回路１３８の送信電力を設定する。
次に、ＮＦＣ回路１０６は、ＮＦＣ制御回路１０７の制御により、データ信号が乗せられていない搬送波を放射する（ステップＳ２０１）。
次に、ＮＦＣ回路１０６は、ＮＦＣ制御回路１０７の制御により、要求を示すデータ信号が乗せられている搬送波を放射する（ステップＳ２０２）。ここで、要求は、通信機器２００に対して、応答を求めるものである。
【０１０８】
通信機器２００は、要求に応じて、応答を示すデータ信号が乗せられている搬送波を放射する（ステップＳ２０３）。
ＮＦＣ制御回路１０７は、ＮＦＣ回路１０６により、通信機器２００からの応答を受信したか否かを判断する（ステップＳ２０４）。応答を受信した場合（ステップＳ２０４で「有り」）、ＮＦＣ制御回路１０７は、制御をステップＳ１７８へ移す。
【０１０９】
応答を受信しなかった場合（ステップＳ２０４で「無し」）、ＮＦＣ制御回路１０７は、減らされた電圧値を、直前の電圧値に戻す（ステップＳ２０５）。次に、ＮＦＣ制御回路１０７は、直前の電圧値をプリセットテーブル１４１に書き込む（ステップＳ１８２）。この後、通信機器１００ｃと通信機器２００との間でデータの送受信が行われる。
以上説明したように、通信機器１００ｃにおいては、上述したように、音声レベルが可聴閾値と等しくなる又は可聴閾値より大きくなるまで、ＮＦＣ回路１０６の搬送波生成回路１３８に供給する電圧値を段階的に下げていく場合に、通信機器２００から応答が無ければ、その時点で電圧値を直前の電圧値に戻している。これにより、ＮＦＣ回路１０６により放射される通信波の送信電力が制限なく下がることを防いでいる。
【０１１０】
この結果、通信機器１００ｃと通信機器２００との間で、ＮＦＣによる近距離無線通信が行えなくなることを防いでいる。
５．変形例（４）
上記の実施の形態の変形例としての通信機器１００ｄについて、説明する。
上記の実施の形態の通信機器１００においては、上述したように、音声レベルが可聴閾値と等しくなる又は可聴閾値より大きくなるまで、ＮＦＣ回路１０６の搬送波生成回路１３８に供給する電圧値を段階的に下げていく。このように、通信機器１００においては、一つの可聴閾値を用いている。
【０１１１】
これに対して、通信機器１００ｄにおいては、以下に説明するように、二つの可聴閾値１及び可聴閾値２を用いている。音声レベルが可聴閾値２以下である場合、電圧値を１０パーセント減らす。音声レベルが可聴閾値２より大きく、可聴閾値１より小さい場合に、電圧値を５パーセント減らす。音声レベルが可聴閾値１以上の場合に、電圧値を下げることを停止し、通信機器１００ｄと通信機器２００との間において、近距離無線通信を行う。
【０１１２】
ここで、可聴閾値１は、可聴閾値２より大きい。また、可聴閾値１は、上記の実施の形態の通信機器１００の可聴閾値に等しい。また、可聴閾値１は、よく聞こえるレベルである。また、可聴閾値２は、かろうじて聞こえるレベルである。
通信機器１００ｄは、通信機器１００と同様の構成を有している。ここでは、通信機器１００との相違点を中心として説明する。
【０１１３】
通信機器１００ｄと通信機器２００との間のＮＦＣによる通信処理の動作について、図１３に示すフローチャートを用いて説明する。
図１３に示すフローチャートにおいては、図６に示すフローチャートのステップＳ１７９〜Ｓ１８１を削除している。また、ステップＳ１７８の後に、ステップＳ１７９ａ、Ｓ２１１、Ｓ２１２、Ｓ１８１を挿入している。なお、図１３に示すフローチャートと、図６に示すフローチャートとにおいて、同じステップ番号を付したステップの内容は、同一である。また、図１３に示すフローチャートでは、図６に示すステップの一部の表示を省略している。
【０１１４】
ステップＳ１７８において、ＮＦＣ制御回路１０７は、レベル検出回路１０３から、主制御部１０８を介して、音声レベルを受け取る。
次に、ＮＦＣ制御回路１０７は、受け取った音声レベルと可聴閾値１及び可聴閾値２とを比較する（ステップＳ１７９ａ）。
音声レベルが可聴閾値２以下の場合（ステップＳ１７９ａで「可聴閾値２以下」）、ＮＦＣ制御回路１０７は、電圧値を１０パーセント減らす（ステップＳ２１１）。次に、減らされた電圧値により、ＮＦＣ回路１０６の搬送波生成回路１３８の送信電力を設定する（ステップＳ１８１）。次に、ステップＳ１７７へ戻って処理を繰り返す。
【０１１５】
音声レベルが可聴閾値２より大きく、可聴閾値１より小さい場合（ステップＳ１７９ａで「可聴閾値２〜可聴閾値１」）、ＮＦＣ制御回路１０７は、電圧値を５パーセント減らす（ステップＳ２１２）。次に、減らされた電圧値により、ＮＦＣ回路１０６の搬送波生成回路１３８の送信電力を設定する（ステップＳ１８１）。次に、ステップＳ１７７へ戻って処理を繰り返す。
【０１１６】
音声レベルが可聴閾値１より大きい又は可聴閾値１と等しい場合（ステップＳ１７９ａで「可聴閾値１以上」）、ＮＦＣ制御回路１０７は、電圧値をプリセットテーブル１４１に書き込む（ステップＳ１８２）。次に、通信機器１００ｄと通信機器２００との間で、近距離無線通信を行う。これにより、通信処理を終了する。
以上説明したように、通信機器１００ｄにおいては、二つの可聴閾値１及び可聴閾値２を用いている。音声レベルが可聴閾値２以下である場合、電圧値を減らす割合を大きくする。音声レベルが可聴閾値２より大きく、可聴閾値１より小さい場合に、電圧値の削減量を小さくする。このように、音声レベルが可聴閾値１に近づくにつれて、電圧値を減らす割合を小さくしている。これにより、音声レベルが可聴閾値１より大きくなった場合に、音声レベルが可聴閾値１を大きく超える可能性を低くすることができる。
【０１１７】
この結果、通信機器１００ｄと通信機器２００との間において、近距離無線通信を行うことができなくなることを防いでいる。
６．その他の変形例
本発明について、上記の実施の形態及び変形例に基づいて説明しているが、上記の実施の形態及び変形例には限定されない。以下に示すようにしてもよい。
【０１１８】
（１）音声レベルに代えて、振幅制限回路１２６から出力された一定振幅以上の部分が除去された中間周波数信号に対して、増幅及び整流を行って、ＦＭラジオ放送波の受信強度を表す受信強度信号を取り出し、取り出した受信強度信号が所定の閾値以上である場合に、近距離無線通信を行うとしてもよい。一方、受信強度信号が所定の閾値未満である場合に、受信強度信号が所定の閾値以上となるまで、搬送波生成回路１３８に供給する電圧値を減らすように制御してもよい。また、音声レベルに代えて、上記のＦＭラジオ放送波の受信強度信号と、雑音増幅整流回路１２９から出力される雑音信号との比率を用いるとしてもよい。
【０１１９】
（２）通信機器１００は、スピーカを備えているとしてもよい。また、通信機器１００は、ＦＭラジオ用のアンテナを備えているとしてもよい。
（３）通信相手は、通信機器２００には、限定されない。
通信機器２００は、鉄道の乗車券の券売機、鉄道の自動改札機、商店に設置されているレジスタ、イベント会場のゲート制御装置、タバコ、缶コーヒー、缶ジュースなどの商品の自動販売機及びＰＣ（パーソナルコンピュータ）であるとしてもよい。
【０１２０】
（４）通信機器１００においては、プリセットテーブル１４１を用いている。しかし、これには限定されない。プリセットテーブル１４１を用いることなく、利用者がＦＭラジオ放送波を選局し、その都度、そのＦＭラジオ放送波の受信周波数が逓倍波であるか否かを判断してもよい。
（５）上記の実施の形態及び各変形例において、ＮＦＣ回路１０６の搬送波生成回路１３８に供給する電圧値を下げ、放射される通信波の送信電力を下げる場合に、ＮＦＣ制御回路１０７は、通信波の送信電力を下げる旨を示す信号を主制御部１０８に出力してもよい。主制御部１０８は、当該信号を受け取り、当該信号に基づいて、通信波の送信電力を下げる旨を表したアイコン又はメッセージを生成し、生成したアイコン又はメッセージをタッチパネル１０９に対して出力する。タッチパネル１０９の表示パネル部１０９ｂは、受け取ったアイコン又はメッセージを表示する。また、通信機器１００は、その正面に露出するように、ＬＥＤ（Light Emitting Diode）を備え、主制御部１０８は、前記信号に基づいて、ＬＥＤを点灯又は点滅してもよい。このようにして、通信波の送信電力を下げる旨を利用者に通知する。
【０１２１】
また、上記の実施の形態及び各変形例において、ＦＭラジオ放送波の受信周波数が、ＮＦＣの通信波の逓倍波である場合に、つまり、ＦＭラジオ放送波の受信周波数と、ＮＦＣの通信波の逓倍波とが干渉している場合に、ＮＦＣ制御回路１０７は、干渉が発生している旨を示す信号を主制御部１０８に出力してもよい。主制御部１０８は、当該信号を受け取り、当該信号に基づいて、干渉が発生している旨を表したアイコン又はメッセージを生成し、生成したアイコン又はメッセージをタッチパネル１０９に対して出力する。タッチパネル１０９の表示パネル部１０９ｂは、受け取ったアイコン又はメッセージを表示する。また、通信機器１００は、その正面に露出するように、ＬＥＤを備え、主制御部１０８は、前記信号に基づいて、ＬＥＤを点灯又は点滅してもよい。このようにして、ＦＭラジオ放送波の受信周波数とＮＦＣの通信波の逓倍波との間で干渉している旨を利用者に通知する。
【０１２２】
（６）各装置は、マイクロプロセッサとメモリとを備えたコンピュータシステムである。前記メモリは、コンピュータプログラムを記憶しており、前記マイクロプロセッサは、前記コンピュータプログラムに従って動作するとしてもよい。
ここで、コンピュータプログラムは、所定の機能を達成するために、コンピュータに対する指令を示す命令コードが複数個組み合わされて構成されたものである。
【０１２３】
また、前記コンピュータプログラムは、コンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ブルーレィディスク、半導体メモリなどに記録されているとしてもよい。
また、前記コンピュータプログラムを、電気通信回線、無線又は有線通信回線、インターネットを代表とするネットワーク、データ放送等を経由して伝送するとしてもよい。
【０１２４】
また、前記コンピュータプログラムを前記記録媒体に記録して移送することにより、又は前記コンピュータプログラムを、ネットワーク等を経由して、移送することにより、独立した他のコンピュータシステムにより実行するとしてもよい。
（７）上記実施の形態及び上記変形例をそれぞれ組み合わせるとしてもよい。
【産業上の利用可能性】
【０１２５】
本発明にかかる通信機器は、ＮＦＣの通信周波数の逓倍波によるＦＭラジオ放送波の受信妨害を低減できるという優れた効果を奏し、近距離無線通信を行うとともに、ＦＭラジオ放送波を受信する通信機器を制御する技術として有用である。
【符号の説明】
【０１２６】
１０    通信システム
１００、１００ａ、１００ｂ、１００ｃ、１００ｄ、２００    通信機器
１０１    ＦＭ受信回路
１０２    ＦＭ制御回路
１０３    レベル検出回路
１０４    イヤホン
１０５    記憶部
１０６、１０６ａ    ＮＦＣ回路
１０７、１０７ａ    ＮＦＣ制御回路
１０８    主制御部
１０９    タッチパネル
１１０    入出力制御部
１１１    ボタン操作部
１２１    アンテナ回路
１２２    ＲＦ増幅回路
１２３    混合回路
１２４    局部発振回路
１２５    ＩＦ増幅回路
１２６    振幅制限回路
１２７    ＦＭ復調回路
１２８    低周波増幅回路
１２９    雑音増幅整流回路
１３０    スケルチ回路
１３１、１３１ａ    アンテナ回路
１３２    受信回路
１３３    復調回路
１３４    デコード回路
１３５    データ処理回路
１３６    変調回路
１３７    エンコード回路
１３８    搬送波生成回路
【図１】
2015162696.tif 000003
【図２】
2015162696.tif 000004
【図３】
2015162696.tif 000005
【図４】
2015162696.tif 000006
【図５】
2015162696.tif 000007
【図６】
2015162696.tif 000008
【図７】
2015162696.tif 000009
【図８】
2015162696.tif 000010
【図９】
2015162696.tif 000011
【図１０】
2015162696.tif 000012
【図１１】
2015162696.tif 000013
【図１２】
2015162696.tif 000014
【図１３】
2015162696.tif 000015